(57)【特許請求の範囲】
【請求項１】
内側に叩解部を設けたコニカル型固定シェルと、このコニカル型固定シェルの外周に設けられ、内側に叩解部を有したリング状の固定ディスクと、回転軸に取り付けられ、内側に叩解部を設けたコニカル型ロ−タと、このコニカル型ロ−タの外周に設けられ、内側に叩解部を有したリング状のロ−タディスクとを備え、コニカル型固定シェルの内側とコニカル型ロ−タの内側、固定ディスクの内側とロ−タディスクの内側がそれぞれ対向するように配置され、原料はコニカル型固定シェルの内側とコニカル型ロ−タの内側の間隙、固定ディスクの内側とロ−タディスクの内側の間隙を通過するように構成され、前記固定ディスクはコニカル型固定シェルに対して回転軸の長手方向に平行に移動自在に取り付けられていることを特徴とするリファイナ。
【請求項２】
コニカル型ロ−タは回転軸に移動自在に取り付けられ、ロ−タディスクはコニカル型ロ−タに対して回転軸の長手方向に平行に移動自在に取り付けられていることを特徴とする請求項１記載のリファイナ。
【請求項３】
コニカル型固定シェルは、少なくとも、叩解部の原料流れの上流側と下流側とに分割され、コニカル型ロ−タは、少なくとも、叩解部の原料流れの上流側と下流側とに分割され、前記コニカル型固定シェルの前記叩解部の原料流れの上流側が前記コニカル型ロ−タの前記叩解部の原料流れの上流側に、前記コニカル型固定シェルの前記叩解部の原料流れの下流側が前記コニカル型ロ−タの前記叩解部の原料流れの下流側に、それぞれ対向していることを特徴とする請求項１記載のリファイナ。
【請求項４】
内側に攪拌部を設けたコニカル型固定シェルと、このコニカル型固定シェルの外周に設けられ、内側に攪拌部を有したリング状の固定ディスクと、回転軸に取り付けられ、内側に攪拌部を設けたコニカル型ロ−タと、このコニカル型ロ−タの外周に設けられ、内側に攪拌部を有したリング状のロ−タディスクとを備え、コニカル型固定シェルの内側とコニカル型ロ−タの内側、固定ディスクの内側とロ−タディスクの内側がそれぞれ対向するように配置され、原料はコニカル型固定シェルの内側とコニカル型ロ−タの内側の間隙、固定ディスクの内側とロ−タディスクの内側の間隙を通過するように構成され、前記固定ディスクはコニカル型固定シェルに対して回転軸の長手方向に平行に移動自在に取り付けられていることを特徴とする製紙用攪拌装置。
【請求項５】
コニカル型ロ−タは回転軸に移動自在に取り付けられ、ロ−タディスクはコニカル型ロ−タに対して回転軸の長手方向に平行に移動自在に取り付けられていることを特徴とする請求項４記載の製紙用攪拌装置。
【請求項６】
コニカル型固定シェルは、少なくとも、攪拌部の原料流れの上流側と下流側とに分割され、コニカル型ロ−タは、少なくとも、攪拌部の原料流れの上流側と下流側とに分割され、前記コニカル型固定シェルの前記攪拌部の原料流れの上流側が前記コニカル型ロ−タの前記攪拌部の原料流れの上流側に、前記コニカル型固定シェルの前記攪拌部の原料流れの下流側が前記コニカル型ロ−タの前記攪拌部の原料流れの下流側に、それぞれ対向していることを特徴とする請求項４記載の製紙用攪拌装置。
【発明の詳細な説明】
【０００１】
本発明は、リファイナ及び製紙用攪拌装置に係り、特に、コニカル形とディスク形の両形式を備えたリファイナ及び製紙用攪拌装置に関する。
【０００２】
【従来の技術】
リファイナは、原料をロ−タ−とステ−タ−の間を通過させて、原料の離解と叩解を行うもので、リファイナの形式には、刃を持った部分が円錐形をしたコニカル形、刃を持った部分が円盤形をしたディスク形等がある。
コニカル形は、ディスク形に比べ、原料通過時間が長く、コニカル形の刃は、例えば、形状が複雑で機械加工しくく、鋳鋼品のままで使用されることが多く、ロ−タ−とステ−タ−との間隙精度がそれ程良くない。
一方、ディスク形はコニカル形に比べ、機械加工がし易く、ロ−タ−とステ−タ−との間隙精度が良く、それぞれ一長一短を有しており、コニカル形とディスク形の両形式を備えたリファイナはない。
【発明が解決しようとする課題】
本発明は、上述した点を考慮してなされたもので、コニカル形とディスク形の両形式を備えたリファイナを提供するものである。
【０００５】
【課題を解決するための手段】
上記目的を達成するために、請求項１記載のリファイナは、内側に叩解部を設けたコニカル型固定シェルと、このコニカル型固定シェルの外周に設けられ、内側に叩解部を有したリング状の固定ディスクと、回転軸に取り付けられ、内側に叩解部を設けたコニカル型ロ−タと、このコニカル型ロ−タの外周に設けられ、内側に叩解部を有したリング状のロ−タディスクとを備え、コニカル型固定シェルの内側とコニカル型ロ−タの内側、固定ディスクの内側とロ−タディスクの内側がそれぞれ対向するように配置され、原料はコニカル型固定シェルの内側とコニカル型ロ−タの内側の間隙、固定ディスクの内側とロ−タディスクの内側の間隙を通過するように構成され、前記固定ディスクはコニカル型固定シェルに対して回転軸の長手方向に平行に移動自在に取り付けられているものである。
【０００６】
また、請求項２記載のリファイナは、請求項１記載のリファイナにおいて、コニカル型ロ−タは回転軸に移動自在に取り付けられ、ロ−タディスクはコニカル型ロ−タに対して回転軸の長手方向に平行に移動自在に取り付けられているものである。
【０００７】
また、請求項３記載のリファイナは、請求項１記載のリファイナにおいて、コニカル型固定シェルは、少なくとも、叩解部の原料流れの上流側と下流側とに分割され、コニカル型ロ−タは、少なくとも、叩解部の原料流れの上流側と下流側とに分割され、前記コニカル型固定シェルの前記叩解部の原料流れの上流側が前記コニカル型ロ−タの前記叩解部の原料流れの上流側に、前記コニカル型固定シェルの前記叩解部の原料流れの下流側が前記コニカル型ロ−タの前記叩解部の原料流れの下流側に、それぞれ対向しているものである。
【００１０】
また、請求項４記載の製紙用攪拌装置は、内側に攪拌部を設けたコニカル型固定シェルと、このコニカル型固定シェルの外周に設けられ、内側に攪拌部を有したリング状の固定ディスクと、回転軸に取り付けられ、内側に攪拌部を設けたコニカル型ロ−タと、このコニカル型ロ−タの外周に設けられ、内側に攪拌部を有したリング状のロ−タディスクとを備え、コニカル型固定シェルの内側とコニカル型ロ−タの内側、固定ディスクの内側とロ−タディスクの内側がそれぞれ対向するように配置され、原料はコニカル型固定シェルの内側とコニカル型ロ−タの内側の間隙、固定ディスクの内側とロ−タディスクの内側の間隙を通過するように構成され、前記固定ディスクはコニカル型固定シェルに対して回転軸の長手方向に平行に移動自在に取り付けられているものである。
【００１１】
また、請求項５記載の製紙用攪拌装置は、請求項４記載の製紙用攪拌装置において、コニカル型ロ−タは回転軸に移動自在に取り付けられ、ロ−タディスクはコニカル型ロ−タに対して回転軸の長手方向に平行に移動自在に取り付けられているものである。
【００１２】
また、請求項６記載の製紙用攪拌装置は、請求項４記載の製紙用攪拌装置において、コニカル型固定シェルは、少なくとも、攪拌部の原料流れの上流側と下流側とに分割され、コニカル型ロ−タは、少なくとも、攪拌部の原料流れの上流側と下流側とに分割され、前記コニカル型固定シェルの前記攪拌部の原料流れの上流側が前記コニカル型ロ−タの前記攪拌部の原料流れの上流側に、前記コニカル型固定シェルの前記攪拌部の原料流れの下流側が前記コニカル型ロ−タの前記攪拌部の原料流れの下流側に、それぞれ対向しているものである。
【００１３】
【実施例】
本発明の一実施例のリファイナ及び製紙用攪拌装置を図面を参照して説明する。
図１乃至図８において、Ａはリファイナで、リファイナＡは、固定シェルＳとロ−タＲとから概略的に構成されている。
１は原料供給通路で、原料供給通路１内には、スクリュ−フィ−ダ２が設けられ、スクリュ−フィ−ダ２の回転軸21は、モ−タ３の回転をチェ−ン４を介して伝達して回転するようになっている（図１参照）。
【００１４】
固定シェルＳは、内側に叩解部［叩解部は、製紙用攪拌装置（例えば、ディスパ−ザ−（分散機）として使用された場合、攪拌部となる。］を設けたコニカル型固定シェルＳC と、このコニカル型固定シェルＳC の外周に設けられ、内側に叩解部［叩解部は、製紙用攪拌装置（例えば、ディスパ−ザ−（分散機）として使用された場合、攪拌部となる。］を有したリング状の固定ディスクＳD とを備えている（図３乃至図４参照）。
コニカル型固定シェルＳC の叩解部は、例えば、図３及び図４に示すような突起ＴS である（なお、図３及び図４に示す突起ＴS の代わりに、例えば、コニカル型固定シェルＳC の円すい面に、溝を形成し、隣接する溝の間に形成されるリブで叩解部を形成しても良い。）。突起ＴS は複数設けられ、突起ＴS の形状は、原料流れの上流側から下流側に向かって小さくなっている。
【００１５】
また、コニカル型固定シェルＳC は、叩解部の原料流れの上流側（ＳC 1 ）と下流側（ＳC 2 ）と二分割され、ボルト６、６’により第１のケ−シングＣ1 に取り付けられている。［なお、本実施例では、コニカル型固定シェルＳC は、叩解部の原料流れの上流側（ＳC 1 ）と下流側（ＳC 2 ）と二分割されている。本願発明にあっては、二分割に限らず、例えば、三分割、四分割等でも良いが、コニカル型固定シェルＳC は、少なくとも、上流側（ＳC 1 ）と下流側（ＳC 2 ）とに分割されていれば良い。］
【００１６】
また、固定ディスクＳD は、図１、図５及び図６に示すように、コニカル型固定シェルＳC に対してロ−タＲの回転軸７の長手方向に平行に移動自在に取り付けられている。これは、次の理由による。即ち、固定ディスクＳD がコニカル型固定シェルＳC に対して移動できないと、コニカル型ロ−タＲC を回転軸７に沿って移動させてコニカル型ロ−タＲC とコニカル型固定シェルＳC との間隙量を調整すると、これに付随して固定ディスクＳD とロ−タディスクＲD との間隙量も決まってしまい、固定ディスクＳD とロ−タディスクＲD との間隙量の適切な調整ができない。これに対して、固定ディスクＳD をコニカル型固定シェルＳC に対して回転軸７の長手方向に平行に移動自在に取り付けると、コニカル型ロ−タＲC とコニカル型固定シェルＳC との間隙と、固定ディスクＳD とロ−タディスクＲD との間隙とをそれぞれ個別に調整することができる。
【００１７】
固定ディスクＳD のコニカル型固定シェルＳC の取り付けは、油圧等により自動制御しても良いが、本実施例では、例えば、手動により次のように行なうことができる（図５及び図６参照）。
８は外周に雄螺子81を有する筒体で、雄螺子81はケ−シングＣ1 に設けた雌螺子Ｃf に、ナット９にそれぞれ螺合している。10はワッシャで、ワッシャ10はケ−シングＣ1 とナット９の間に位置している。ボルト11は筒体８の貫通孔を通って筒体８より突出している。
筒体８より突出した雄螺子11M には、固定ディスクＳD 、ディスクホルダ−12が固定ディスクＳD の雌螺子、ディスクホルダ−12の雌螺子を介して取り付けられ、ディスクホルダ−12とケ−シングＣ1 との間には間隙部13が形成されている。
図５の状態の固定ディスクＳD とロ−タディスクＲD との間隙をより小さくするためには、ナット９及びボルト11を緩め、筒体８を時計回りに回転させて図６に示すように前進させ、筒体８の先端によりディスクホルダ−12を押して、固定ディスクＳD 、ディスクホルダ−12を移動させる。移動後、緩めていたナット９及びボルト11を締め付ける。
また、図６の状態から図５の状態に戻すには、ナット９及びボルト11を緩め、筒体８を反時計回りに回転させて図５に示すように後退させると、筒体８の後端がボルト11を押して、固定ディスクＳD 、ディスクホルダ−12を移動させる。移動後、緩めていたナット９及びボルト11を締め付ける。なお、このような筒体８、ナット９、ワッシャ10及びボルト11を一組とするものがケ−シングＣ1 に環状に複数組設けられている。また、固定ディスクＳD の叩解部は、例えば、図４に示すように、溝を形成し、隣接する溝の間に形成される長短のリブＴS ’である。
【００１８】
一方、ロ−タＲは、内側に叩解部［叩解部は、製紙用攪拌装置（例えば、ディスパ−ザ−（分散機）として使用された場合、攪拌部となる。］を設けたコニカル型ロ−タＲC と、このコニカル型ロ−タＲC の外周に設けられ、内側に叩解部［叩解部は、製紙用攪拌装置（例えば、ディスパ−ザ−（分散機）として使用された場合、攪拌部となる。］を有したリング状のロ−タディスクＲD とを備えている（図２、図７及び図８参照）。
叩解部は、例えば、図７及び図８に示すような突起ＴR である（なお、図７及び図８に示す突起ＴS の代わりに、例えば、コニカル型ロ−タＲC の円すい面に、溝を形成し、隣接する溝の間に形成されるリブで叩解部を形成しても良い。）。突起ＴR は複数設けられ、突起ＴR の形状は、原料流れの上流側から下流側に向かって小さくなっている。
そして、リファイナＡのコニカルの叩解部は上述した突起ＴS と突起ＴR で形成され、突起ＴS と突起ＴR との間隙部で形成される通路は、原料流れの上流側から下流側に向かって小さくなっている。
ロ−タＲは、図示しないモ−タによって回転する回転軸７に取り付けられている。15は回転軸７を支える軸受けを内在したベアリングケ−スである（図１参照）。
【００１９】
また、コニカル型ロ−タＲC は、叩解部の原料流れの上流側（ＲC 1 ）と下流側（ＲC 2 ）と二分割され、ボルト１６、１６’によりロ−タ本体ＲB に取り付けられている。［なお、本実施例では、コニカル型ロ−タＲC は、叩解部の原料流れの上流側（ＲC 1 ）と下流側（ＲC 2 ）と二分割されている。本願発明にあっては、二分割に限らず、例えば、三分割、四分割等でも良いが、コニカル型ロ−タＲC は、少なくとも、上流側（ＲC 1 ）と下流側（ＲC 2 ）とに分割されていれば良い。］
そして、コニカル型固定シェルＳC の叩解部の原料流れの上流側（ＳC 1 ）がコニカル型ロ−タＲC の叩解部の原料流れの上流側（ＲC 1 ）に、コニカル型固定シェルＳC の叩解部の原料流れの下流側（ＳC 2 ）がコニカル型ロ−タＲC の叩解部の原料流れの下流側（ＲC 2 ）に、それぞれ対向している。
【００２０】
また、リング状のロ−タディスクＲD の内周部が下流側（ＲC 2 ）のコニカル型ロ−タＲC の外周部に当接した状態で、ロ−タディスクＲD はコニカル型ロ−タＲC にボルト１６”によりロ−タ本体ＲB に取り付けられている。
なお、ロ−タディスクＲD の叩解部は、例えば、図８に示すように、溝を形成し、隣接する溝の間に形成される長短のリブＴR ’である。また、本実施例では、固定ディスクＳD をコニカル型固定シェルＳC に対して回転軸７の長手方向に平行に移動自在に取り付けと同様に、図示しないが、ロ−タディスクＲD をコニカル型ロ−タＲC に対して回転軸７の長手方向に平行に移動自在に取り付るようにしても良い。また、ロ−タＲは、ケ−シングＣ2 により覆われている。20は排出口である。
【００２１】
上述の説明及び図に示すように、リファイナＡは、コニカル型固定シェルＳC の内側とコニカル型ロ−タＲC の内側、固定ディスクＳD の内側とロ−タディスクＲD の内側がそれぞれ対向するように配置し、原料はコニカル型固定シェルＳC の内側とコニカル型ロ−タＲC の内側の間隙、固定ディスクＳD の内側とロ−タディスクのＲD 内側の間隙を通過するように構成されている。
【００２２】
先ず、リファイナ１を運転する前に、叩解部の隙間調整を行なう。
コニカル型固定シェルＳC の叩解部とコニカル型ロ−タＲC の叩解部の隙間調整は、機械の停止時、ロ−タＲを固定ディスクＳD 側へベアリングケ−ス15ごと回転軸７に沿って摺動させ、コニカル型ロ−タＲC の叩解部とコニカル型固定シェルＳC の叩解部を接触させ、
また、固定ディスクＳD の叩解部とロ−タディスクＲD の叩解部の隙間調整は、ナット９及びボルト11を緩め、筒体８を時計回りに回転させて図６に示すように前進させ、筒体８の先端によりディスクホルダ−12を押して、固定ディスクＳD の叩解部とロ−タディスクＲD の叩解部を接触させ、緩めていたナット９及びボルト11を締め付ける。これを起点として、ロ−タディスクＲD の叩解部を所定の適宜の位置に後退させ、ロ−タディスクＲD を図示しない固定手段（ボルト、油圧等）により回転軸７に固定する。なお、固定後、固定ディスクＳD の叩解部とロ−タディスクＲD の叩解部の隙間が適切でない場合、ナット９及びボルト11を緩め、固定ディスクＳD の叩解部とロ−タディスクＲD の叩解部の隙間が適切になるように、筒体８を時計或は反時計回りに回転させて位置調整を図り、位置調整後、緩めていたナット９及びボルト11を締め付ける。
【００２３】
叩解部の隙間調整を行なった後、リファイナ１を運転すると、原料は、原料供給通路１、スクリュ−フィ−ダ２を介して、叩解部に供給され、ロ−タ−Ｒとステ−タ−Ｓの間を通過しながら、原料の離解と叩解が行われ、排出口20より次工程へと導かれる。
なお、原料が叩解される際、コニカル型固定シェルＳC の外周に設けられた固定ディスクＳD の叩解部とコニカル型ロ−タＲC の外周に設けられたロ−タディスクＲD の叩解部とを設けているため、固定ディスクＳD の叩解部とロ−タディスクＲD の叩解部との隙間を狭くすることができ、原料が流れにくくなって原料流れの抵抗となり、叩解部内での原料の充満度を上げることができ、つまり、原料をコニカル型固定シェルＳC の叩解部とコニカル型ロ−タＲC の叩解部との隙間により滞留させることができる。
【００２４】
なお、上述した固定ディスクＳD の叩解部及びロ−タディスクＲD の叩解部は、少なくとも、機械加工が施されていることが望ましい。これは、次の理由による。
即ち、「内側に叩解部を有したコニカル型固定シェルＳC 」及び「内側に叩解部を有したコニカル型ロ−タＲC 」は、一般に鋳鋼品で形成され、形状がコニカル形状をしているため、叩解部を機械加工することは困難で、精度を上げることができないが、機械加工を施した固定ディスクＳD の叩解部とロ−タディスクＲD の叩解部との間隙を狭く調整することができ、該間隙が原料流れの抵抗となり、原料をコニカル型固定シェルＳC の叩解部とコニカル型ロ−タＲC の叩解部との隙間により滞留させ、原料中の繊維同士はより揉まれて叩解させることができるからである。
【００２５】
なお、上述の実施例におけるリファイナＡは、チップの摩砕又はパルプの叩解、精砕などをすることができることは、勿論のこと、リファイナＡを古紙原料中の繊維に付着するインキ、ホットメルトの粘着物の剥離を容易にするために、古紙原料を攪拌する製紙用攪拌装置［例えば、ディスパ−ザ−（分散機）］として使用することができる。この場合、原料は、古紙パルプである。
ディスパ−ザ−（分散機）に「高濃度の古紙パルプ」を使用した場合、上述の叩解部は攪拌部を形成し、該攪拌部において、古紙パルプの繊維を強く摩耗させて、繊維に付着するインキの剥離、細分化、分散、粘着物の剥離、細分化、分散させ、後の工程の脱墨処理等を容易とすることができる。
なお、上述のリファイナＡの叩解部は製紙用攪拌装置の攪拌部を形成する以外は同様であるので、製紙用攪拌装置の説明については省略する。
【００２８】
【発明の効果】
固定ディスクがコニカル型固定シェルに対して移動できないと、コニカル型ロ−タを回転軸に沿って移動させてコニカル型ロ−タとコニカル型固定シェルとの間隙量を調整すると、これに付随して固定ディスクとロ−タディスクとの間隙量が決まってしまい、固定ディスクとロ−タディスクとの間隙量の適切な調整ができないが、請求項１記載のリファイナによれば、固定ディスクはコニカル型固定シェルに対して回転軸の長手方向に平行に移動自在に取り付けられているため、コニカル型ロ−タとコニカル型固定シェルとの間隙と、固定ディスクとロ−タディスクとの間隙とをそれぞれ個別に調整することができる。
【００２９】
ロ−タディスクがコニカル型ロ−タに対して移動できないと、コニカル型ロ−タを回転軸に沿って移動させてコニカル型ロ−タとコニカル型固定シェルとの間隙量を調整すると、これに付随して固定ディスクとロ−タディスクとの間隙量が決まってしまい、固定ディスクとロ−タディスクとの間隙量の適切な調整ができないが、請求項２記載のリファイナによれば、上述した請求項１記載の発明の効果に加え、ロ−タディスクはコニカル型ロ−タに対して回転軸の長手方向に平行に移動自在に取り付けられているため、コニカル型ロ−タとコニカル型固定シェルとの間隙と、固定ディスクとロ−タディスクとの間隙とをそれぞれ個別に調整することができる。
【００３０】
請求項３記載のリファイナによれば、上述した請求項１記載の発明の効果に加え、使用により叩解部の原料流れの上流側と下流側とでは損傷の頻度が異なり、又は、異物による破損の部位によっては叩解部全体を交換する必要がない場合がある。かかる場合、コニカル型固定シェル及びコニカル型ロ−タは、少なくとも、原料流れの上流側と下流側とに分割されているため、叩解部全体を交換せず、損傷部分のみを交換すれば良く、また、分割されている分、製作し易い（コニカル型固定シェル及びコニカル型ロ−タの叩解部は、大きいため、大きい分製作しにくい。）。
【００３３】
固定ディスクがコニカル型固定シェルに対して移動できないと、コニカル型ロ−タを回転軸に沿って移動させてコニカル型ロ−タとコニカル型固定シェルとの間隙量を調整すると、これに付随して固定ディスクとロ−タディスクとの間隙量が決まってしまい、固定ディスクとロ−タディスクとの間隙量の適切な調整ができないが、請求項４記載の製紙用攪拌装置によれば、固定ディスクはコニカル型固定シェルに対して回転軸の長手方向に平行に移動自在に取り付けられているため、コニカル型ロ−タとコニカル型固定シェルとの間隙と、固定ディスクとロ−タディスクとの間隙とをそれぞれ個別に調整することができる。
【００３４】
ロ−タディスクがコニカル型ロ−タに対して移動できないと、コニカル型ロ−タを回転軸に沿って移動させてコニカル型ロ−タとコニカル型固定シェルとの間隙量を調整すると、これに付随して固定ディスクとロ−タディスクとの間隙量が決まってしまい、固定ディスクとロ−タディスクとの間隙量の適切な調整ができないが、請求項５記載の製紙用攪拌装置によれば、上述した請求項４記載の発明の効果に加え、ロ−タディスクはコニカル型ロ−タに対して回転軸の長手方向に平行に移動自在に取り付けられているため、コニカル型ロ−タとコニカル型固定シェルとの間隙と、固定ディスクとロ−タディスクとの間隙とをそれぞれ個別に調整することができる。
【００３５】
請求項６記載の製紙用攪拌装置によれば、上述した請求項４記載の発明の効果に加え、使用により攪拌部の原料流れの上流側と下流側とでは損傷の頻度が異なり、又は、異物による破損の部位によっては攪拌部全体を交換する必要がない場合がある。かかる場合、コニカル型固定シェル及びコニカル型ロ−タは、少なくとも、原料流れの上流側と下流側とに分割されているため、攪拌部全体を交換せず、損傷部分のみを交換すれば良く、また、分割されている分、製作し易い（コニカル型固定シェル及びコニカル型ロ−タの攪拌部は、大きいため、大きい分製作しにくい。）。
【図面の簡単な説明】
【図１】図１は、本発明の一実施例のリファイナ（製紙用攪拌装置）の概略的断面図である。
【図２】図２は、図１の叩解部を拡大した概略的一部拡大断面図である。
【図３】図３は、図２の叩解部の一方側の固定シェルの概略的一部拡大断面図である。
【図４】図４は、図３の概略的側面図である。
【図５】図５は、図２の固定ディスクの一部を拡大した概略的一部拡大断面図である。
【図６】図６は、図５の固定ディスクが移動した状態の概略的一部拡大断面図である。
【図７】図７は、図２の叩解部の他方側のロ−タの概略的一部拡大断面図である。
【図８】図８は、図７の概略的側面図である。
【符号の説明】
Ａ  ・・・・・リファイナ
ＳC ・・・・・コニカル型固定シェル
ＳD ・・・・・固定ディスク
ＲC ・・・・・コニカル型ロ−タ
ＲD ・・・・・ロ−タディスク
７・・・・・回転軸
【図１】
0003797909.tif 000002
【図２】
0003797909.tif 000003
【図３】
0003797909.tif 000004
【図４】
0003797909.tif 000005
【図５】
0003797909.tif 000006
【図６】
0003797909.tif 000007
【図７】
0003797909.tif 000008
【図８】
0003797909.tif 000009